(57)【要約】【課題】毛髪等に装飾品を取り付けるための毛髪把持部材と、装飾品を支持しかつ把持部材を拘束するための拘束部材は取り扱いが面倒であった。【解決手段】エラストマー材製の毛髪把持部材（１）を一対の脚部（２、２）と、前記脚部（２、２）の対向面（５、５）の一部を一体に結合する連結部（１０）とを有するものとし、後端部に切欠き部（１６）を設け、前記両脚部（２、２）の前記連結部（１０）よりも後端側の外側面に、拘束部材（１１）のばね部（１２、１２）の前端押圧部（１５、１５）を受け入れる第１の溝（７、７）を備え、該溝の拘束部材（１１）のばね部（１２、１２）の前端押圧部（１５、１５）を係合させ、それにより該ばね部を相互方向に押すことにより、把持部材の把持面を大きく開放して、毛髪等の捕捉を容易にする。【選択図】図２
2010279642.tif 000002
【特許請求の範囲】
【請求項１】
エラストマー材製の毛髪把持部材（１）を一対の脚部（２、２）と、前記脚部（２、２）の対向面（５、５）の一部を一体に結合する連結部（１０）とを有するものとし、後端部に切欠き部（１６）を設け、前記両脚部（２、２）の前記連結部（１０）よりも後端側の外側面に、拘束部材（１１）のばね部（１２、１２）の前端押圧部（１５、１５）を受け入れる第１の溝（７、７）を備え、該溝の拘束部材（１１）のばね部（１２、１２）の前端押圧部（１５、１５）を係合させ、それにより該ばね部を相互方向に押すことにより、把持部材（１）の対向面（５、５）を大きく開放できるようにした、装飾品取り付け具。
【請求項２】
（ａ）前端（３、３）と後端側（４、４）を有する一対の脚部（２、２）と、前記脚部（２、２）の対向面（５、５）の一部を一体に結合する連結部（１０）とを有する、エラストマー材製の把持部材（１）であって、前記両脚部（２、２）の少なくとも一方が、前記連結部（１０）よりも前端側の対向面（５、５）の一部に毛髪等の対象支持体の把持用凹部（６）を有し、かつ後端側（４、４）の対向面が前記連結部（１０）を支点として前記両脚部（２、２）の前端側の開放を可能にする逃げを与える切欠き部（１６）を有し、前記両脚部（２、２）の前記連結部（１０）よりも後端側の外側面に、後記ばね部（１２、１２）の前端押圧部（１５、１５）を受け入れる第１の溝（７、７）を備えている、毛又は髪の把持部材（１）と、
（ｂ）装飾品を取り付けるための後端部（１３）と、該後端部（１３）から前方に突出する一対のばね部（１２、１２）と、前記ばね部（１２、１２）の前端から内側に内曲して前記把持部材（１）の前記溝（７、７）に嵌合する前端押圧部（１５、１５）を有しているばね材製の外側拘束部材（１１）と、からなり、
前記外側拘束部材（１１）は前記把持部材（１）の外面を前後に滑動自在であり、前記外側拘束部材（１１）を後方へ滑動させた状態で前記外側拘束部材（１１）のばね部（１２、１２）を相互方向に押圧して前記両脚部（２、２）の前端を開放させ、前記外側拘束部材（１１）を前方へ滑動させた状態では前記把持部材（１）の両脚部（２、２）の前端側の対向面（５、５）を閉鎖して拘束するようになっている、装飾品取り付け具。
【請求項３】
前記把持部材（１）の前記両脚部（２、２）の外面には前記連結部（１０）よりも前方位置で第２の溝（８、８）を有し、前記把持部材（１）の閉鎖時に前記外側拘束部材（１１）の前記前端押圧部（１５、１５）を受け入れるようになっている、請求項１または２に記載の装飾品取り付け具。
【請求項４】
前記把持部材（１）の前記両脚部（２、２）の外面（９）は前記第１の溝（７、７）から前記第２の溝（８、８）へ向けて末広状にテーパしている請求項３に記載の装飾品取り付け具。
【請求項５】
前記外側拘束部材（１１）の弾性と前記把持部材（１）の弾性は、前記外側拘束部材（１１）の前記前端押圧部（１５、１５）が前記溝（７、７）に嵌合した位置で、前記把持部材（１）の対向面（５、５）が互いに接触又はほぼ接触する程度に定められている請求項１〜４のいずれか一項に記載の装飾品取り付け具。
【請求項６】
前記把持部材（１）の前記両脚部（２、２）の後端側（４、４）は互いにエラストマー材で連結されている請求項１〜５のいずれか一項に記載の装飾品取り付け具。
【請求項７】
前記把持部材（１）と拘束部材（１１）の相互の関係を拘束して相互の滑動を案内するための手段を設けた請求項１〜６のいずれか一項に記載の装飾品取り付け具。
【発明の詳細な説明】
【技術分野】
【０００１】
本発明は、模造宝石、リボン等の装飾品を、人の毛髪やペット動物の毛に取り付けて保持するための装飾品取り付け具に関する。
【背景技術】
【０００２】
人の毛髪、動物の毛を一定量束ね、それに装飾品を取り付ける方法としては、従来、ゴム類、プラスチック、革ひも、麻ひも、布ひも、綿、紙、化繊等を使用して取り付ける方法が知られている。
ペットの業界では、体の被毛、耳の飾り毛、口周り等毛髪を束ねるために、輪ゴムやシリコン輪ゴム、伸縮性の合成繊維などで束ねるか、紙や合成樹脂製シート(ラップと呼ばれている)等を使用して、装飾品を取り付けようとする毛髪の束を包み込み又は折り込み、リボン等の装飾品の裏面に付けた輪ゴムを、この折り込んだラップの周りに何回か巻き付けて束ねるのが主流である。
特に、トリミングなどをした後、耳の被毛に付けるリボンなどは、この手法を行うのが一般であるが、この手法では、一度使ったラップはくしゃくしゃになり使い回しができず無駄になっている。また、ラップを付ける段階で、ペット等が動いてしまいなかなかうまく巻けず、くしゃくしゃにしてしまう事が多い。この巻付け作業は面倒で時間がかかり取り付けを行う人自体にもストレスが掛かる。その後も、輪ゴム等が劣化したり、伸ばしすぎて切れてしまい、リボン自体が無駄になることが多い。
【０００３】
一方、人の毛髪に装飾等の目的で付け毛（エクステンションと呼ばれている）を取り付けるために、従来から知られている糸通しを用いた方法が特開２００４−２８５５５１号公報（特許文献１）に提案されている。同文献によると、支持管に付け毛の一端を挿入保持してなるエクステンションを用意し、一方エクステンションを取り付けようとする頭部の所定個所の毛髪の束を別に用意した前記支持管よりも大径の毛髪保持管の貫通孔に一方側から挿入し、次いで保持管の貫通孔に反対側からエクステンションの支持管の末端を無理に押し入れて固定することにより、エクステンションを人体の毛髪に取り付けている。毛髪保持管及び支持管はいずれも弾力性を有するシリコンゴムから構成されている。そして、毛髪保持管の貫通孔に人体の毛髪を挿入するためにループ部を有するニードルを利用することが記載されている。
【０００４】
また、特開２００５−１１０８７４号公報（特許文献２）には、本願に添付の図１１に示すように、頭の毛髪を束ねて保持するように装着する頭髪飾り具であって、毛髪の束を出し入れする縦割部１０１を全長に開設した中空筒状の外装体１１０と、この外装体１１０に対して前記縦割部１０１よりこの縦割部を押し広げて内嵌される軸芯体からなる内装体１２０との組み合わせで且つ、これら両内外装体１１０、１２０間に毛髪の束を弾力的に狭持しクリップする構成の頭髪飾り具が提案されている。
【先行技術文献】
【特許文献】
【０００５】
【特許文献１】特開２００４−２８５５５１号公報
【特許文献２】特開２００５−１１０８７４号公報
【発明の概要】
【発明が解決しようとする課題】
【０００６】
上に説明した従来技術のうち、ラップを使用する方法は主流であるが、手間と面倒な手順を必要とし、時間がかかるなど、すでに述べた欠点がある。
また、特許文献１に記載された方法は、毛髪保持管自体でエクステンションを直接保持するのではなく、毛髪保持管の貫通孔に人体の毛髪を挿入するためにループ部を有するニードルを利用する点で作業が面倒なだけでなく、大小２つの弾性を有する毛髪保持管とエクステンション支持管の強制的な嵌合力によりエクステンションを毛髪に固定するものであり、人体の毛髪への毛髪保持管の装着、エクステンションの支持管の強制的な押し込み作業などが必要で簡便性に欠ける。本発明の目的はこうした問題を解決し、より簡便で能率的な取付けが可能な装飾品を提供すること、それを可能にする取付具を提供することである。
特許文献２の場合も同様で、毛髪の束を縦割部１０１を有する中空筒状の外装体１１０に挿入し、ついでこの外装体１１０に対して内装体１２０を押し入れることが必要であり、また取り外しも逆の動作が必要であり、操作が容易でない。
本発明の課題は人の毛髪やペット等の毛等に装飾品を容易に着脱できる装飾品取り付け具を提供することである。
【課題を解決するための手段】
【０００７】
上記課題は次の本発明の装飾品取り付け具により解決される。
すなわち、本発明の好ましい形態では
（１）エラストマー材製の毛髪把持部材１を一対の脚部２、２と、前記脚部２、２の対向面５、５の一部を一体に結合する連結部１０とを有するものとし、後端部に切欠き部１６を設け、前記両脚部２、２の前記連結部１０よりも後端側の外側面に、拘束部材１１のばね部１２、１２の前端押圧部１５、１５を受け入れる第１の溝７、７を備え、該溝の拘束部材１１のばね部１２、１２の前端押圧部１５、１５を係合させ、それにより該ばね部を相互方向に押すことにより、把持部材の対向面５、５を大きく開放できるようにした、装飾品取り付け具を提供する。これにより、該ばね部を相互方向に押すことにより、把持部材の把持面を大きく開放して、毛髪等の捕捉を容易にすることができ、装飾品の取り付け作業が著しく容易になる。
（２）より具体的には、本発明は、
（ａ）前端３、３と後端側４、４を有する一対の脚部２、２と、前記脚部２、２の常時は互いに近接又は接触状態の対向面５、５の一部を一体に結合する連結部１０とを有する、エラストマー材製の把持部材１であって、前記両脚部２、２の少なくとも一方が、前記連結部１０よりも前端側の対向面５、５の一部に毛髪等の対象支持体の把持用凹部６を有し、かつ後端側４、４の対向面が前記連結部１０を支点として前記両脚部２、２の前端側の開放を可能にする逃げを与える切欠き部１６を有し、前記両脚部２、２の前記連結部１０よりも後端側の外側面に、後記ばね部１２、１２の前端押圧部１５、１５を受け入れる第１の溝７、７を備えている、毛又は髪の把持部材１と、
（ｂ）装飾品を取り付けるための後端部１３と、該後端部１３から前方に突出する一対のばね部１２、１２と、前記ばね部１２、１２の前端から内側に内曲して前記把持部材１の前記溝７、７に嵌合する前端押圧部１５、１５を有しているばね材製の外側拘束部材１１と、からなり、
前記外側拘束部材１１は前記把持部材１の外面を前後に滑動自在であり、前記外側拘束部材１１を後方へ滑動させた状態で前記外側拘束部材１１のばね部１２、１２を相互方向に押圧して前記両脚部２、２の前端を開放させ、前記外側拘束部材１１を前方へ滑動させた状態では前記把持部材１の両脚部２、２の前端側の対向面を閉鎖して拘束するようになっている、装飾品取り付け具が提供される。
かかる構成により、２つの指で前記拘束部材１１を押すことで前記把持部材１の前部を大きく開放して毛髪等への装飾品を容易に取り付けることができ、指をゆるめると毛髪等を把持部材が軽く押さえた状態となり、ついで前記外側拘束部材１１を前方に滑動させて把持部材１をしっかりと毛髪等に固定することができる利点が得られる。また、装飾品取り付け具を毛髪等から外すには、逆の操作で前記外側拘束部材１１を後方に滑動させればよく、装飾品を容易に取り外すことが可能である。
【０００８】
（３）発明の他の形態によれば、上記（１）または（２）において、前記把持部材１の前記両脚部２、２の外面には前記連結部１０よりも前方位置で第２の溝８、８を有し、前記把持部材１の閉鎖時に前記外側拘束部材１１の前端の前記押圧部１５、１５を受け入れるようになっている。
かかる手段により装飾品を毛髪等に取り付けた状態で、前記拘束部材１による拘束力と前記エラストマー材製の把持部材１の大きい摩擦力とにより、十分な把持力を発揮させることができる。
【０００９】
（４）発明の他の形態によれば、上記（３）において、前記把持部材１の前記両脚部２、２の外面９は前記第１の溝７、７から前記第２の溝８、８へ向けて末広状にテーパさせることができる。これにより、毛髪への取り付け力が大きくなる。
【００１０】
（５）発明の他の形態によれば、上記（１）〜（４）のいずれかにおいて、前記外側拘束部材１１の弾性と前記把持部材１の弾性は、前記外側拘束部材１１の前記押圧部１５、１５が前記溝７、７に嵌合した位置で、前記把持部材１の対向面５、５が互いに接触又はほぼ接触する程度に定められている。この形態によれば、毛髪への本取り付け具の取り付け直後に自然に把持部材１の両脚により毛髪の軽い把持がなされ、その後の拘束部材１１の前方への滑動作業が容易になる。
【００１１】
（６）発明の他の形態によれば、上記（１）〜（５）のいずれかにおいて、前記把持部材１の前記両脚部２、２の後端側４、４は互いにエラストマー材で連結されている。この形態によれば、把持部材１の両脚部を閉鎖する力が強まり、拘束部材１１を前方に滑動させる前の自然状態で毛髪への把持力が補助される。
【００１２】
（７）発明の他の形態によれば、上記（１）〜（６）のいずれかの取り付け具において、前記把持部材１と拘束部材１１の相互の関係を拘束しまた案内するための手段を設けた装飾品取り付け具が提供される。
【図面の簡単な説明】
【００１３】
【図１】本発明の実施例による装飾品取り付け具の側面図であって、外側拘束部材が把持部材の後部位置にある状態を示す。
【図２】前記実施例において外側拘束部材に力を加えて把持部材の前端部を開放した状態を示す側面図である。
【図３】前記実施例において外側拘束部材を前方に滑動させて把持部材の前端部を閉鎖した状態を示す側面図である。
【図４】前記実施例による取り付け具の使用状態を示す斜視図である。
【図５】本発明の他の実施例による把持部材を示す側面図である。
【図６】本発明のさらに他の実施例による装飾品取り付け具の斜視図である。
【図７】本発明のさらに別の実施例による装飾品取り付け具の斜視図である。
【図８】本発明のさらに他の実施例による装飾品取り付け具における把持部材の斜視図である。
【図９】図８の把持部材と併用する拘束部材の斜視図である。
【図１０】図８〜９の部材を構成部品とする装飾品取り付け具の斜視図である。
【図１１】従来の装飾品取り付け具の斜視図である。
【発明を実施するための形態】
【００１４】
以下本発明を実施例に関連して詳しく説明する。
図１〜４を参照して本発明の実施例を説明する。図４は見やすくするために装飾品を除いて示した。
本発明の装飾品取り付け具はエラストマー材製の把持部材１とそれを外側から拘束するための拘束部材１１とを組み合わせた構造を有する。把持部材のエラストマー材としてはシリコンゴム等の毛髪を把持して保持できる摩擦力と弾力性を有する材料から選択される。拘束部材の材料としては把持部材を押さえて拘束できる剛性と復元性を有する材料、例えばメッキした鉄等の金属板、ＡＢＳやポリカーボネートのような弾性率の高い高分子樹脂が使用できる。
図１は毛髪等へ取り付ける前の状態を示す図、図２は把持部材を開放した状態を示す図、図３は毛髪を取り付けた状態を示す図、図４は使用方法を示す図である。
【００１５】
エラストマー材製の把持部材１は、前端３、３と後端側４、４を有する一対の脚部２、２と、脚部２、２の常時は互いに近接又は接触状体の対向面５、５の一部を一体に結合する連結部１０とを有する。両脚部２、２の前記連結部１０よりも前端側の対向面５、５の一部には毛髪等の対象支持体の把持用凹部６が形成されている。この凹部は対向面に一方だけにあっても良い。一方、後端側４、４の対向面は、両脚部２、２の前部が、連結部１０を支点として開閉できるように切欠き部１６を形成している。両脚部２、２の連結部１０よりも後端側の外側面には、拘束部材１１のばね部１２、１２の前端押圧部１５、１５を受け入れる第１の溝７、７を備えている。溝７、７は連結部１０に対して切欠き部１６側に寸法ｄだけずれており、これにより図１の状態で図２のように拘束部材１１に力を加えた場合に、把持部材１の前部をその弾性に抗して開放できる。
把持部材１は拘束のない状態で図１の形状をなすように製造する。把持部材１はまた図１のように拘束部材１１から力が加わった状態で両脚部２、２が閉じた状態にとどまるように製造しても良く、これは、連結部１０の軸線方向の長さを調節長目に設計することで実現できる。
【００１６】
一方把持部材１の外側で把持部材を拘束する外側拘束部材１１は、装飾品Ｓを取り付けるための後端部１３と、該後端部１３の両端部から前方に突出する一対のばね部１２、１２と、前記ばね部１２、１２の前端から内側に内曲して前記把持部材１の前記溝７、７に嵌合する前端押圧部１５、１５を有している。
拘束部材１１の前端押圧部１５、１５は把持部材１の外面を前後に滑動自在であり、拘束部材１１を後方へ滑動させた状態で前記外側拘束部材１１のばね部１２、１２を２本の指で相互方向に押圧したとき、把持部材１の両脚部２、２の前端は開放され、外側拘束部材１１を前方へ滑動させた状態では前記把持部材１の両脚部２、２の前端側の対向面を閉鎖して拘束するようになっている。拘束状態を保つために、把持部材１の滑動部の前端に溝８、８を設けて拘束部材１１の前端押圧部１５、１５を受け入れるように拘束部材１１の移動を防止する。また、把持部材１の外面９を前方に向けて末広がりにテーパさせると毛髪等に対する把持力を高めることができる。
【００１７】
使用において、図４に示したように、図１の状態で２つの指で前記拘束部材１１のばね部１２、１２を互いの方向に押すことで、把持部材１の前部を大きく開放して毛髪等を把持用凹部６に受け入れ、指をゆるめると毛髪等を把持部材が軽く押さえた図１の状態となり、ついで前記拘束部材１１を前方に滑動させて把持部材１をしっかりと毛髪等に固定する図３の状態にすることができる利点が得られる。また、装飾品取り付け具を毛髪等から外すには、逆の操作で前記外側拘束部材１１を後方に滑動させればよく、装飾品を容易に取り外すことが可能である。
【００１８】
また、外側拘束部材１１の弾性と把持部材１の弾性は、外側拘束部材１１の前端押圧部１５、１５が溝７、７に嵌合した位置で、前記把持部材１の対向面５、５が互いに接触又ほぼ接触する程度に定められることができる。この形態によれば、毛髪への本取り付け具の取り付け直後に自然に把持部材１の両脚により毛髪の軽い把持がなされ、その後の拘束部材１１の前方への滑動作業が容易になる。
また同じ趣旨であるが図５のように、把持部材１の切欠き部１６をブリッジするように後端側４、４をブリッジする薄肉部１８を設けても良い。これにより、外側拘束部材１１の前端押圧部１５、１５が溝７、７に嵌合した部分的な付加状態で、両脚部２、２の対向面５、５同士が図１の状態で完全に閉鎖でき毛髪へやや強い拘束力を与えることができる。
【００１９】
図６は装飾品取り付け具の変形例を示す。この例では、拘束部材１１のばね部１２、１２の両縁部にずれ止め用リブ１７（下側の物は隠れている）を付けたものである。これにより把持部材１の外面をばね部１２、１２の押圧部が滑動する際にガイドとなり且つ図５で上下方向に両部材１、１１がずれることを防ぐことができる。
【００２０】
図７はさらに他の変形例を示し、拘束部材１１を半円筒状に形成し、且つ図６と同様なずれ止め用リブ１７を設けた例である。作用は上述の例と同様である。
【００２１】
図８、図９及び図１０は、本発明のさらに他の実施例を示し、拘束部材１１を半円筒状に形成し且つ溝部２１を設け、一方把持部材１には溝部２１と嵌合しあう凸部２０を設けた例である。これにより部材１と１１の間に円滑なガイド作用とずれ止め作用が得られる。
【符号の説明】
【００２２】
１          把持部材
２、２      脚部
３、３      前端
４、４      後端側
５、５      対向面
６          把持用凹部
７、７      溝
８、８      溝
９          外面
１０        連結部
１１        拘束部材
１２、１２  ばね部
１３        後端部
１５、１５  前端押圧部
１６        切欠き部
１７        ずれ止め用リブ
１８        薄肉部
２０        凸部
２１        溝部
【図１】
2010279642.tif 000003
【図２】
2010279642.tif 000004
【図３】
2010279642.tif 000005
【図４】
2010279642.tif 000006
【図５】
2010279642.tif 000007
【図６】
2010279642.tif 000008
【図７】
2010279642.tif 000009
【図８】
2010279642.tif 000010
【図９】
2010279642.tif 000011
【図１０】
2010279642.tif 000012
【図１１】
2010279642.tif 000013